(57)【要約】  本発明に係る再送制御方法は、送信側装置１０が、物理データチャネルに関連付けられている物理制御チャネルによって、複数ビットによって構成されており新規パケットの送信時に更新される新規データ指示子を送信する新規データ指示子送信工程と、受信側装置３０が、物理制御チャネルを介して受信した前記新規データ指示子が、次に受信を期待している新規データ指示子と異なる場合、物理データチャネルを介して受信したパケットの復号結果によらず、送達確認情報を送信する送達確認情報送信工程とを有する。
2007052719.tif 000002
【特許請求の範囲】
【請求項１】
物理データチャネルによって送信側装置から受信側装置に送信されるパケットについて、該パケットに対する送達確認情報に基づいて再送制御を行う再送制御方法であって、
前記送信側装置が、前記物理データチャネルに関連付けられている物理制御チャネルによって、複数ビットによって構成されており新規パケットの送信時に更新される新規データ指示子を送信する新規データ指示子送信工程と、
前記受信側装置が、前記物理制御チャネルを介して受信した前記新規データ指示子が、次に受信を期待している新規データ指示子と異なる場合、前記物理データチャネルを介して受信した前記パケットの復号結果によらず、前記送達確認情報を送信する送達確認情報送信工程とを有することを特徴とする再送制御方法。
【請求項２】
前記送達確認情報送信工程において、前記受信した新規データ指示子が、前記次に受信を期待している新規データ指示子よりも進んでいる場合、前記受信側装置は、欠落パケットの再送要求を示す前記送達確認情報を送信することを特徴とする請求項１に記載の再送制御方法。
【請求項３】
前記送達確認情報送信工程において、前記受信した新規データ指示子が、前記次に受信を期待している新規データ指示子よりも遅れている場合、前記受信側装置は、前記パケットの受信成功を示す前記送達確認情報を送信することを特徴とする請求項１に記載の再送制御方法。
【請求項４】
複数ビットによって構成されており新規パケットの送信時に更新される新規データ指示子を含む物理制御チャネルを受信するように構成されている物理制御チャネル受信部と、
前記物理制御チャネルに関連付けられている物理データチャネルを受信するように構成されている物理データチャネル受信部と、
前記物理制御チャネルを介して受信した新規データ指示子が、次に受信を期待している新規データ指示子と異なる場合、前記物理データチャネルを介して受信したパケットの復号結果によらず、該パケットに対する送達確認情報を送信するように構成されている送達確認情報送信部とを具備することを特徴とする受信側装置。
【請求項５】
前記受信した新規データ指示子が、前記次に受信を期待している新規データ指示子よりも進んでいる場合、前記物理制御チャネル送信部は、前記物理制御チャネルによって、欠落パケットの再送要求を示す前記送達確認情報を送信するように構成されていることを特徴とする請求項４に記載の受信側装置。
【請求項６】
前記受信した新規データ指示子が、前記次に受信を期待している新規データ指示子よりも遅れている場合、前記物理制御チャネル送信部は、前記物理制御チャネルによって、前記パケットの受信成功を示す前記送達確認情報を送信するように構成されていることを特徴とする請求項４に記載の受信側装置。
【発明の詳細な説明】
【技術分野】
【０００１】
本発明は、物理データチャネルによって送信側装置から受信側装置に送信されるパケットについて、該パケットに対する送達確認情報に基づいて再送制御を行う再送制御方法及び受信側装置に関する。
【背景技術】
【０００２】
従来、再送制御を行う移動通信システムとして、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）移動通信システムが知られている（例えば、非特許文献１参照）。【０００３】
図５乃至図８を参照して、従来のＨＳＤＰＡ移動通信システムにおける再送制御について説明する。【０００４】
図５に示す構成を具備するＨＳＤＰＡ移動通信システムにおける再送制御は、ＭＡＣ-ｈｓレイヤにおける「ＨＡＲＱ（Ｈｙｂｒｉｄ  Ａｕｔｏｍａｔｉｃ  Ｒｅｐｅａｔ  ｒｅＱｕｅｓｔ）再送制御」及びＲＬＣレイヤにおける「Ｏｕｔｅｒ  ＡＲＱ再送制御」によって実現されている。【０００５】
かかるＨＳＤＰＡ移動通信システムでは、ＲＬＣレイヤにおけるＯｕｔｅｒ  ＡＲＱ再送制御が、ＭＡＣ-ｈｓレイヤにおいて補償し切れなかったパケットの受信又は復号誤りや、ＨＡＲＱ再送制御における送達確認情報（ＡＣＫ/ＮＡＣＫ）の誤検出（例えば、移動局において、ＮＡＣＫをＡＣＫと誤検出する場合や、ＤＴＸ状態である場合にＡＣＫを受信したと誤検出する場合）等により生じたパケットの欠落（ロス）に対して最終的に補償するように構成されている。【０００６】
図６（ａ）乃至図６（ｆ）を参照して、かかるＨＳＤＰＡ移動通信システムにおける再送制御について具体的に説明する。以下、ＨＡＲＱプロセスが１つであるものとして説明する。また、各パケットに割り当てられる「ＴＳＮ（送信シーケンス番号：Ｔｒａｎｓｍｉｓｓｉｏｎ  Ｓｅｑｕｅｎｃｅ  Ｎｕｍｂｅｒ）」は、０から１５の間の値を巡回して取るものとする。【０００７】
図６（ａ）では、受信側装置（移動局）３０のＭＡＣ-ｈｓレイヤが、「ＴＳＮ＝１５」のパケットの受信及び復号に成功したため、「ＴＳＮ＝１５」のパケットを順序制御バッファ３５に保存すると共に、順序制御バッファ３５から「ＴＳＮ＝１０」のパケットを抽出してＲＬＣレイヤに渡している。そして、受信側装置３０において、次に受信を期待するパケットの「ＴＳＮ」が「０」となる。【０００８】
一方、図６（ｂ）では、受信側装置３０のＭＡＣ-ｈｓレイヤにおいて、上述のような原因によって「ＴＳＮ＝０」のパケットが欠落している。したがって、受信側装置３０において、次に受信を期待するパケットの「ＴＳＮ」が「０」のままであるにも関わらず、送信側装置（基地局）１０が、「ＴＳＮ＝０」のパケットに対するＮＡＣＫを受信していないため、「ＴＳＮ＝１」のパケットを送信している。【０００９】
その後、受信側装置３０のＭＡＣ-ｈｓレイヤが、「ＴＳＮ＝１」のパケットの受信及び復号に成功したため、「ＴＳＮ＝１」のパケットを順序制御バッファ３５に保存すると共に、順序制御バッファ３５から「ＴＳＮ＝１２」のパケットを抽出してＲＬＣレイヤに渡している。【００１０】
そして、図６（ｃ）乃至図６（ｅ）において、同様の動作が繰り返される。この間、受信側装置３０において、次に受信を期待するパケットの「ＴＳＮ」は「０」のままである。【００１１】
その後、図６（ｆ）において、受信側装置３０のＭＡＣ-ｈｓレイヤが、「ＴＳＮ＝５」のパケットの受信及び復号に成功したため、「ＴＳＮ＝５」のパケットを順序制御バッファ３５に保存する。【００１２】
この際、受信側装置３０のＭＡＣ-ｈｓレイヤは、順序制御バッファ３５から「ＴＳＮ＝０」のパケットを抽出してＲＬＣレイヤに渡すことを試みるが、「ＴＳＮ＝０」のパケットが順序制御バッファ３５に保存されていないため、失敗に終わる。【００１３】
その結果、ＲＬＣレイヤのＲＬＣエンティティ３６が、「ＴＳＮ＝０」のパケットの欠落（ロス）を検出し、Ｏｕｔｅｒ  ＡＲＱ再送制御によって、送信側装置１０に対して「ＴＳＮ＝０」のパケットの再送を要求するように構成されている。【００１４】
また、図７に示すように、かかるＨＳＤＰＡ移動通信システムでは、基地局が、移動局に対して、図８に示すＬ１制御情報を送信するための共有物理制御チャネルとして「ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）」を送信し、パケットを送信するための共有物理データチャネルとして「ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）」を送信するように構成されている。【００１５】
ここで、ＨＳ-ＳＣＣＨとＨＳ-ＰＤＳＣＨとは関連付けられており、移動局は、受信したＨＳ-ＳＣＣＨに含まれているＬ１制御情報に基づいて、当該ＨＳ-ＳＣＣＨに関連付けられているＨＳ-ＰＤＳＣＨに含まれているパケットを受信するように構成されている。【００１６】
また、かかるＨＳＤＰＡ移動通信システムでは、ＨＳ-ＰＤＳＣＨ上に、トランスポートチャネルとして「ＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）」が多重されるように構成されている。【００１７】
また、かかるＨＳＤＰＡ移動通信システムでは、ＨＳ-ＤＳＣＨ上の各ＴＴＩ（Ｔｒａｎｓｍｉｓｓｉｏｎ  Ｔｉｍｅ  Ｉｎｔｅｒｖａｌ）において、１つのプロトコルデータユニット（「ＭＡＣ-ｈｓ  ＰＤＵ」）（以下、パケット）が送信されるように構成されている。なお、かかるのヘッダ部分には、当該パケットの「ＴＳＮ」が挿入されている。【００１８】
また、かかるＨＳＤＰＡ移動通信システムでは、移動局が、ＨＳ-ＳＣＣＨを介して受信したＬ１制御情報（図８参照）内の「ＵＥ  ｉｄｅｎｔｉｙ（１６ビット）」に基づいて、ＨＳ-ＤＳＣＨ上の各ＴＴＩが自局に割り当てられているか否かについて判断する。【００１９】
そして、移動局は、ＨＳ-ＤＳＣＨ上のＴＴＩが自局に割り当てられている場合には、Ｌ１制御情報（図８参照）内の「ＮＤＩ（新規データ指示子（Ｎｅｗ  Ｄａｔａ  Ｉｎｄｉｃａｔｏｒ（１ビット）））に基づいて、当該ＴＴＩにおいて送信されるパケットが、新規パケットであるか、又は、再送パケットであるかについて判断し、当該判断結果に基づいて、ＭＡＣ-ｈｓレイヤにおけるＨＡＲＱ再送制御を行う。【００２０】
ここで、従来のＨＳＤＰＡ移動通信システムで用いられている「ＮＤＩ」は、１ビットで構成されており、新規パケットの送信時に更新されるように構成されている。具体的には、「ＮＤＩ」は、「０」→「１」というように、２つの値を巡回して取るように構成されている。【００２１】
図９Ａ及び図９Ｂを参照して、従来のＨＳＤＰＡ移動通信システムにおいて、ＨＳ-ＳＣＣＨによって通知される「ＮＤＩ＝１」と、受信側装置３０において次に受信を期待している「Ｅｘｐｅｃｔｉｎｇ  ＮＤＩ＝０」との間に不一致が生じるケースについて説明する。【００２２】
かかる不一致の原因として、以下の２つのケースが想定される。【００２３】
・  ＤＴＸ状態であるにも関わらず、送信側装置１０が、ＡＣＫを受信したと誤検出したため、新規パケット（ＴＳＮ＝Ｎ＋１）を送信するケース（Ａ）。【００２４】
・  送信側装置１０が、「ＴＳＮ＝Ｎ−１」のパケットに対するＡＣＫをＮＡＣＫと誤検出したため、「ＴＳＮ＝Ｎ−１」のパケットを再送するケース（Ｂ）。【００２５】
第１に、図９Ａを参照して、ケース（Ａ）について説明する。【００２６】
図９Ａに示すように、受信側装置３０は、「ＴＳＮ＝Ｎ」のパケットを送信するためのＨＳ-ＰＤＳＣＨに関連付けられているＨＳ-ＳＣＣＨに含まれるＬ１制御情報の受信処理（復号処理）に失敗すると、自局宛てに当該パケットが送信されたか否かについて判断できないため、後続するＨＳ-ＰＤＳＣＨに含まれている当該「ＴＳＮ＝Ｎ」のパケットを復号することができない。【００２７】
このため、受信側装置３０は、「ＴＳＮ＝Ｎ」のパケットに対するＡＣＫ/ＮＡＣＫといった送達確認情報（「ＴＳＮ＝Ｎ」のパケットの復号結果）を送信するための個別物理制御チャネル（ＨＳ-ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）（ＨＡＲＱフィードバック物理チャネル）を送信できないため、「ＤＴＸ：Ｄｉｓｃｏｎｔｉｎｕｏｕｓ  Ｔｒａｎｓｍｉｓｓｉｏｎ」と呼ばれる無送信動作となる。【００２８】
ここで、無線伝搬路の状態が悪く、受信側装置３０が、ＤＴＸ（無送信）状態であるにも関わらず、送信側装置１０が、ＨＡＲＱフィードバック物理チャネル上で、「ＴＳＮ＝Ｎ」のパケットに対するＡＣＫを受信したと誤判定する場合、送信側装置１０は、新規パケットとして「ＴＳＮ＝Ｎ＋１」のパケットを送信してしまうため、受信側装置３０において「ＴＳＮ＝Ｎ」のパケットが欠落する。【００２９】
また、受信側装置３０は、ＨＳ-ＳＣＣＨによって送信された「ＮＤＩ」に基づいて、当該ＨＳ-ＳＣＣＨに関連付けられているＨＳ-ＰＤＳＣＨを介して送信されるパケットが、新規パケットであるか又は再送パケットであるかについて判定しているが、上述のような場合、ＨＳ-ＳＣＣＨによって通知される「ＮＤＩ＝１」と、受信側装置３０において次に受信を期待している「Ｅｘｐｅｃｔｉｎｇ  ＮＤＩ＝０」との間に不一致が生じる。【００３０】
第２に、図９Ｂを参照して、ケース（Ｂ）について説明する。【００３１】
図９Ｂに示すように、受信側装置３０は、「ＴＳＮ＝Ｎ−１」のパケットの受信に成功して「ＴＳＮ＝Ｎ−１」のパケットに対するＡＣＫを送信したにもかかわらず、送信側装置１０は、かかるＡＣＫをＮＡＣＫと誤検出して、「ＴＳＮ＝Ｎ−１」のパケットを再送する。【００３２】
上述のような場合、受信側装置３０は、新規に送信される「ＴＳＮ＝Ｎ」のパケットの受信を期待しているため、送信側装置１０によって再送される「ＴＳＮ＝Ｎ−１」のパケットに対応するＨＳ-ＳＣＣＨによって通知される「ＮＤＩ＝０」と、受信側装置３０において次に受信を期待している「Ｅｘｐｅｃｔｉｎｇ  ＮＤＩ＝１」との間に不一致が生じる。【００３３】
しかしながら、「ＮＤＩ」は１ビットによって構成されているため、ケース（Ａ）及び（Ｂ）のどちらの場合であっても、受信側装置３０は、ケース（Ａ）及び（Ｂ）のどちらによって上述の不一致が生じたかについて判定することができないという問題点があった。【００３４】
さらに、従来のＨＳＤＰＡ移動通信システムにおいて、受信側装置３０は、ＨＡＲＱフィードバック物理チャネル上で、送達確認信号としてＡＣＫ又はＮＡＣＫのいずれかしか返送できない。【００３５】
したがって、図９Ａに示すケースにおいて、受信側装置３０が、ＨＳ-ＰＤＳＣＨに含まれる「ＴＳＮ＝Ｎ＋１」のパケットを復号し、当該復号結果に基づいて、ＡＣＫ又はＮＡＣＫのいずれを通知したとしても、ＨＡＲＱ再送制御において、送信側装置１０は、「ＴＳＮ＝Ｎ」のパケットを再送することができないため、受信側装置３０において「ＴＳＮ＝Ｎ」のパケットが欠落する。【００３６】
このようにして欠落した「ＴＳＮ＝Ｎ」のパケットは、ＲＬＣレイヤにおけるＯｕｔｅｒ  ＡＲＱ再送制御によって補償される。【００３７】
しかしながら、ＲＬＣレイヤは、上述のように、ＨＡＲＱフィードバック物理チャネルに含まれている送達確認情報の誤検出によるパケットの欠落を検出し、当該パケットについての再送制御を行う場合、定期的に送信されるＲＬＣレイヤの受信状態報告（ＳＴＡＴＵＳ  ＲＥＰＯＲＴ）や当該パケットに対して設定した送達確認情報を待つタイマの満了をトリガーとしており、上述のパケットの欠落を検出するには、通常数十ミリ秒単位での時間を要し、伝送遅延が増加するという問題点があった。
【非特許文献１】３ＧＰＰ  ＴＳ２５.３０８
【発明の開示】
【００３８】
そこで、本発明は、上述の課題に鑑みてなされたものであり、送信側装置においてＨＡＲＱフィードバック物理チャネルを介して送信された送達確認情報を誤検出した場合のパケットの欠落を迅速に検出して再送制御を行う再送制御方法及び受信側装置を提供することを目的とする。
【００３９】
本発明の第１の特徴は、物理データチャネルによって送信側装置から受信側装置に送信されるパケットについて、該パケットに対する送達確認情報に基づいて再送制御を行う再送制御方法であって、前記送信側装置が、前記物理データチャネルに関連付けられている物理制御チャネルによって、複数ビットによって構成されており新規パケットの送信時に更新される新規データ指示子を送信する新規データ指示子送信工程と、前記受信側装置が、前記物理制御チャネルを介して受信した前記新規データ指示子が、次に受信を期待している新規データ指示子と異なる場合、前記物理データチャネルを介して受信した前記パケットの復号結果によらず、前記送達確認情報を送信する送達確認情報送信工程とを有することを要旨とする。
【００４０】
本発明の第１の特徴において、前記送達確認情報送信工程で、前記受信した新規データ指示子が、前記次に受信を期待している新規データ指示子よりも進んでいる場合、前記受信側装置は、欠落パケットの再送要求を示す前記送達確認情報を送信してもよい。
【００４１】
本発明の第１の特徴において、前記送達確認情報送信工程で、前記受信した新規データ指示子が、前記次に受信を期待している新規データ指示子よりも遅れている場合、前記受信側装置は、前記パケットの受信成功を示す前記送達確認情報を送信してもよい。
【００４２】
本発明の第２の特徴は、受信側装置であって、複数ビットによって構成されており新規パケットの送信時に更新される新規データ指示子を含む物理制御チャネルを受信するように構成されている物理制御チャネル受信部と、前記物理制御チャネルに関連付けられている物理データチャネルを受信するように構成されている物理データチャネル受信部と、前記物理制御チャネルを介して受信した新規データ指示子が、次に受信を期待している新規データ指示子と異なる場合、前記物理データチャネルを介して受信したパケットの復号結果によらず、該パケットに対する送達確認情報を送信するように構成されている送達確認情報送信部とを具備することを要旨とする。
【００４３】
本発明の第２の特徴において、前記受信した新規データ指示子が、前記次に受信を期待している新規データ指示子よりも進んでいる場合、前記物理制御チャネル送信部が、前記物理制御チャネルによって、欠落パケットの再送要求を示す前記送達確認情報を送信するように構成されていてもよい。
【００４４】
本発明の第２の特徴において、前記受信した新規データ指示子が、前記次に受信を期待している新規データ指示子よりも遅れている場合、前記物理制御チャネル送信部が、前記物理制御チャネルによって、前記パケットの受信成功を示す前記送達確認情報を送信するように構成されていてもよい。
【図面の簡単な説明】
【００４５】
【図１】図１は、本発明の第１の実施形態に係る送信側装置及び受信側装置の機能ブロック図である。
【図２】図２は、本発明の第１の実施形態に係る移動通信システムで用いられる共有物理制御チャネルのフォーマットを示す図である。
【図３】図３は、本発明の第１の実施形態に係る受信側装置の動作を示すフローチャートである。
【図４Ａ】図４Ａは、本発明の第１の実施形態に係る移動通信システムにおける再送制御の様子を説明するための図である。
【図４Ｂ】図４Ｂは、本発明の第１の実施形態に係る移動通信システムにおける再送制御の様子を説明するための図である。
【図５】図５は、従来技術に係る送信側装置及び受信側装置の機能ブロック図である。
【図６】図６は、従来技術に係る移動通信システムにおける再送制御の様子を説明するための図である。
【図７】図７は、従来技術に係る移動通信システムで用いられるチャネル構成を示す図である。
【図８】図８は、従来技術に係る移動通信システムで用いられる共有物理制御チャネルのフォーマットを示す図である。
【図９Ａ】図９Ａは、従来技術に係る移動通信システムにおける再送制御の問題点を説明するための図である。
【図９Ｂ】図９Ｂは、従来技術に係る移動通信システムにおける再送制御の問題点を説明するための図である。
【発明を実施するための最良の形態】
【００４６】
（本発明の第１の実施形態に係る移動通信システム）
図１及び図２を参照して、本発明の第１の実施形態に係る移動通信システムの構成について説明する。【００４７】
本実施形態に係る移動通信システムは、物理データチャネルによって送信側装置１０から受信側装置３０に送信されるパケットについて、当該パケットに対する送達確認情報（ＡＣＫ/ＮＡＣＫ/ＤＴＸ状態）に基づいて再送制御を行うように構成されている。【００４８】
ここで、物理データチャネル（共有物理データチャネル）の一例として「ＨＳ-ＰＤＳＣＨ」が想定され、物理制御チャネル（共有物理制御チャネル）の一例として「ＨＳ-ＳＣＣＨ」が想定され、ＨＳ-ＳＣＣＨ上に多重されるトランスポートチャネルの一例として「ＨＳ-ＤＳＣＨ」が想定され、ＨＳ-ＤＳＣＨ上で送信されるプロトコルデータユニット（パケット）の一例として「ＭＡＣ-ｈｓ  ＰＤＵ」が想定されるが、本発明は、これらの例に限定されるものではない。【００４９】
また、本発明に係る送信側装置１０及び受信側装置３０は、下り方向の通信（送信側装置１０が基地局であり、受信側装置３０が移動局である場合）にも、上り方向の通信（送信側装置１０が移動局であり、受信側装置３０が基地局である場合）にも、適用可能であるものとする。【００５０】
図１に示すように、送信側装置１０は、レイヤ２の機能として、ＲＬＣエンティティ１１と、送信バッファ１２と、ＴＳＮ付与部１３と、ＨＡＲＱプロセス割当部１４と、複数のＨＡＲＱプロセス１５と、再送・スケジューラ機能１８とを具備し、レイヤ１の機能として、共有物理制御チャネル送信部１６Ａと、共有物理データチャネル送信部１６Ｂと、個別物理制御チャネル受信部１７とを具備している。【００５１】
ＲＬＣエンティティ１１は、上述したＯｕｔｅｒ  ＡＲＱ再送制御を行うように構成されている。なお、ＲＬＣエンティティ１１は、各パケット単位で、Ｏｕｔｅｒ  ＡＲＱ再送制御を行うように構成されていてもよいし、複数のパケット単位で、Ｏｕｔｅｒ  ＡＲＱ再送制御を行うように構成されていてもよい。【００５２】
送信バッファ１２は、ＲＬＣエンティティ１１から送信されたユーザデータを一時的に格納した後、ＴＳＮ付与部１３に送信するように構成されている。【００５３】
ＴＳＮ付与部１３は、送信バッファ１２から送信されたユーザデータに対して、ＴＳＮを含むヘッダ及び誤り訂正符号（ＣＲＣ等）等を付与することによって、共有物理データチャネルに多重されるトランスポートチャネル上で送信されるプロトコルデータユニット（パケット）を生成するように構成されている。【００５４】
ＨＡＲＱプロセス割当部１４は、再送・スケジューラ機能１８からのＨＡＲＱ再送制御やスケジューリング制御に関する指示に応じて、各パケットを送信するＨＡＲＱプロセスを割り当てるように構成されている。【００５５】
具体的には、ＨＡＲＱプロセス割当部１４は、再送・スケジューラ機能１８からの指示に応じて、送信バッファ１２に蓄積されているユーザデータを廃棄したり、各送信機会（上述のトランスポートチャネルにおける各ＴＴＩ）においてどのパケット（新規パケット及び再送パケット）を送信するべきかについて決定したりするように構成されている。【００５６】
また、ＨＡＲＱプロセス割当部１４は、各送信機会（上述のトランスポートチャネルにおける各ＴＴＩ）において、パケットの送信を行うＨＡＲＱプロセスを特定する「ＨＡＲＱ  ｐｒｏｃｅｓｓ＃」を、制御チャネル送信部１６Ａに通知するように構成されている。【００５７】
また、ＨＡＲＱプロセス割当部１４は、新規パケットを送信する際にＮＤＩ（新規データ指示子）を更新して、個別物理制御チャネル送信部１６Ａに通知するように構成されている。【００５８】
各ＨＡＲＱプロセス１５は、ＨＡＲＱプロセス割当部１４によってパケット（新規パケット及び再送パケット）の送信を行うように指示された場合、当該パケットを送信するように共有物理データチャネル送信部１６Ｂに対して指示するように構成されている。【００５９】
再送・スケジューラ機能１８は、個別物理制御チャネル受信部１７によって受信された個別物理制御チャネルに含まれる送達確認情報（ＡＣＫ/ＮＡＣＫ/Ｒｅｖｅｒｔ  Ｒｅｑｕｅｓｔ）に基づいて、各パケットに対するＨＡＲＱ再送制御やスケジューリング制御を行うように構成されている。【００６０】
共有物理制御チャネル送信部１６Ａは、ＨＡＲＱプロセス割当部１４から通知されたＮＤＩやＨＡＲＱ  ｐｒｏｃｅｓｓ＃を含むＬ１制御情報を、共有物理制御チャネル（物理制御チャネル）を介して送信するように構成されている。図２に、共有物理制御チャネルによって送信されるＬ１制御情報の一例を示す。【００６１】
ここで、ＮＤＩ（新規データ指示子：Ｎｅｗ  Ｄａｔａ  Ｉｎｄｉｃａｔｏｒ）は、複数ビット（図２の例では２ビット）で構成されており、新規パケットの送信時に更新されるように構成されている。例えば、ＮＤＩは、２ビットで構成されている場合、「００」→「０１」→「１０」→「１１」→「００」というように、４つの値「００」、「０１」、「１０」、「１１」を巡回して取るように構成されている。【００６２】
共有物理データチャネル送信部１６Ｂは、共有物理データチャネル（物理データチャネル）における各ＴＴＩにおいて、各ＨＡＲＱプロセスから送信されたパケットを送信するように構成されている。なお、共有物理データチャネルは、共有物理制御チャネルに関連付けられている。【００６３】
個別物理制御チャネル受信部１７は、ＡＣＫ/ＮＡＣＫ/Ｒｅｖｅｒｔ  Ｒｅｑｕｅｓｔといった送達確認情報を含む個別物理制御チャネル（ＨＡＲＱフィードバック物理チャネル）を受信するように構成されている。【００６４】
ここで、Ｒｅｖｅｒｔ  Ｒｅｑｕｅｓｔは、欠落したパケットを再送するように要求するものである。したがって、上述の再送・スケジューラ機能１８は、Ｒｅｖｅｒｔ  Ｒｅｑｕｅｓｔを受信した場合、所定のパケット（例えば、１回前のＴＴＩにおいて送信したパケット）を再送するように制御する。【００６５】
なお、個別物理制御チャネル受信部１７は、所定期間内に、各パケットに対する送達確認情報を受信しない場合、ＤＴＸ状態であると判断するように構成されている。【００６６】
また、図１に示すように、受信側装置３０は、共有物理制御チャネル受信部３１Ａと、共有物理データチャネル受信部３１Ｂと、複数のＨＡＲＱプロセス３２と、個別物理制御チャネル送信部３３と、ＴＳＮ抽出部３４と、順序制御バッファ３５と、ＲＬＣエンティティ３６とを具備している。【００６７】
共有物理制御チャネル受信部３１Ａは、送信側装置１０から送信された共有物理制御チャネル（物理制御チャネル）を受信するように構成されている。共有物理制御チャネル受信部３１Ａは、共有物理制御チャネルに含まれるＬ１制御情報を復号し、復号したＬ１制御情報を、対応するＨＡＲＱプロセス３２に通知すると共に、復号したＬ１制御情報内のＮＤＩを個別物理制御チャネル送信部３３に通知するように構成されている。【００６８】
共有物理データチャネル受信部３１Ｂは、共有物理制御チャネルを介して送信されたＬ１制御情報に基づいて、各ＴＴＩにおいて、共有物理データチャネルに含まれるパケットを、トランスポートチャネルを介して、対応するＨＡＲＱプロセス３２に送信するように構成されている。【００６９】
各ＨＡＲＱプロセス３２は、共有物理制御チャネル受信部３１Ａから通知されたＬ１制御情報に基づいて、共有物理データチャネル受信部３１Ｂからトランスポートチャネルを介して送信されたパケットを復号し、復号したパケットをＴＳＮ抽出部３４に送信するように構成されている。【００７０】
また、各ＨＡＲＱプロセス３２は、パケットの復号結果（復号成功又は復号失敗）を、個別物理制御チャネル送信部３３に通知するように構成されている。【００７１】
個別物理制御チャネル送信部３３は、各ＨＡＲＱプロセス３２から通知されたパケットの復号結果に応じて、送達確認情報（ＡＣＫ/ＮＡＣＫ）を、個別物理制御チャネル（ＨＡＲＱフィードバック物理チャネル）を介して送信するように構成されている。【００７２】
また、個別物理制御チャネル送信部３３は、共有物理制御チャネル受信部３１Ａから通知されたＮＤＩに応じて、送達確認情報（Ｒｅｖｅｒｔ  Ｒｅｑｕｅｓｔ）を、個別物理制御チャネル（ＨＡＲＱフィードバック物理チャネル）を介して送信するように構成されている。【００７３】
具体的には、個別物理制御チャネル送信部３３は、「共有物理制御チャネル受信部３１Ａから通知されたＮＤＩ（受信したＮＤＩ）」が、「次に受信を期待しているＮＤＩ（Ｅｘｐｅｃｔｅｄ  ＮＤＩ）」と異なる場合、各ＨＡＲＱプロセス３２から通知されたパケットの復号結果によらず、当該パケットに対する送達確認情報（Ｒｅｖｅｒｔ  Ｒｅｑｕｅｓｔ）を送信するように構成されている。【００７４】
ここで、ＮＤＩが、２ビットで構成されている場合、個別物理制御チャネル送信部３３は、共有物理制御チャネル受信部３１Ａから受信に成功した共有物理制御チャネルに含まれるＮＤＩを通知されるごとに、Ｅｘｐｅｃｔｅｄ  ＮＤＩを、「００」→「０１」→「１０」→「１１」→「００」と巡回して更新するように構成されている。【００７５】
また、「受信したＮＤＩ」が、「次に受信を期待しているＮＤＩ（Ｅｘｐｅｃｔｅｄ  ＮＤＩ）」よりも進んでいる場合（例えば、「受信したＮＤＩ」が「０１」で、「Ｅｘｐｅｃｔｅｄ  ＮＤＩ」が「００」である場合）、個別物理制御チャネル送信部３３は、個別物理制御チャネル（ＨＡＲＱフィードバック物理チャネル）によって、欠落パケットの再送要求を示す送達確認情報（Ｒｅｖｅｒｔ  Ｒｅｑｕｅｓｔ）を送信するように構成されている。【００７６】
さらに、「受信したＮＤＩ」が、「次に受信を期待しているＮＤＩ（Ｅｘｐｅｃｔｅｄ  ＮＤＩ）」よりも遅れている場合（例えば、「受信したＮＤＩ」が「００」で、「Ｅｘｐｅｃｔｅｄ  ＮＤＩ」が「０１」である場合）、個別物理制御チャネル送信部３３は、個別物理制御チャネル（ＨＡＲＱフィードバック物理チャネル）によって、パケットの受信成功を示す送達確認情報（ＡＣＫ）を送信するように構成されていてもよい。【００７７】
なお、ＨＡＲＱフィードバック物理チャネルは、少なくとも３種類の送達確認情報を通知する必要があるため、ＨＡＲＱフィードバック物理チャネルにおいて、送達確認情報を通知するためのビットを少なくとも２ビット準備する必要がある。【００７８】
ＴＳＮ抽出部３４は、各ＨＡＲＱプロセス３２から送信されたパケットのＴＳＮを抽出し、ＲＬＣエンティティ３６に対して各パケットをＴＳＮの順に送信するために、抽出したＴＳＮに基づいて各パケットを順序制御バッファ３５に格納するように構成されている。【００７９】
ＲＬＣエンティティ３６は、順序制御バッファ３５から送信されたパケットのＴＳＮを参照して、当該パケットについてのＯｕｔｅｒ  ＡＲＱ再送制御を行うように構成されている。なお、ＲＬＣエンティティ３６は、各パケット単位で、Ｏｕｔｅｒ  ＡＲＱ再送制御を行うように構成されていてもよいし、複数のパケット単位で、Ｏｕｔｅｒ  ＡＲＱ再送制御を行うように構成されていてもよい。【００８０】
（本発明の第１の実施形態に係る移動通信システムの動作）
以下、図３、図４Ａ及び図４Ｂを参照して、本実施形態に係る移動通信システムの動作について説明する。具体的には、本実施形態に係る移動通信システムにおいて、基地局（送信側装置１０）から移動局（受信側装置３０）に対して送信されるパケットについての再送制御について説明する。【００８１】
図３に示すように、ステップＳ１００１において、移動局は、基地局から送信された共有物理制御チャネル（例えば、ＨＳ-ＳＣＣＨ）を受信する。【００８２】
ステップＳ１００２において、共有物理制御チャネルの受信及び復号に成功したか否かについて判定される。【００８３】
共有物理制御チャネルの受信又は復号に失敗した場合、ステップＳ１００３において、移動局は、ＨＡＲＱフィードバック物理チャネル（例えば、ＤＰＣＣＨ）を送信しないＤＴＸ状態となる。【００８４】
一方、共有物理制御チャネルの受信及び復号に成功した場合、ステップＳ１００４において、移動局は、共有物理制御チャネルを介して受信したＮＤＩ（受信したＮＤＩ）が、次に受信を期待しているＮＤＩ（Ｅｘｐｅｃｔｅｄ  ＮＤＩ）と一致するか否かについて判定する。【００８５】
「受信したＮＤＩ」が「Ｅｘｐｅｃｔｅｄ  ＮＤＩ」と等しいと判定された場合、ステップＳ１００５において、移動局は、共有物理制御チャネルを介して受信したＬ１制御情報に基づいて、共有物理データチャネルに含まれるパケットを復号する。【００８６】
ステップＳ１００６において、移動局は、上述のパケットの復号結果に基づいて、送達確認情報（ＡＣＫ/ＮＡＣＫ）を、ＨＡＲＱフィードバック物理チャネルを介して送信する。【００８７】
一方、「受信したＮＤＩ」が「Ｅｘｐｅｃｔｅｄ  ＮＤＩ」と異なると判定された場合、ステップＳ１００７において、「受信したＮＤＩ」が、「Ｅｘｐｅｃｔｅｄ  ＮＤＩ」よりも進んでいるか否かについて判定される。【００８８】
「受信したＮＤＩ」が、「Ｅｘｐｅｃｔｅｄ  ＮＤＩ」よりも進んでいると判定された場合、移動局は、ステップＳ１００８において、ＮＡＣＫをＡＣＫと誤検出したか、又は、ＤＴＸ状態であるにもかかわらずＡＣＫを受信したと誤検出したことによって、パケットの欠落が発生したと判断し（図４Ａにおけるケース（Ａ））、ステップＳ１００９において、各ＨＡＲＱプロセスから通知されるパケットの復号結果によらず、欠落パケット（図４Ａでは「ＴＳＮ＝Ｎ」のパケット）を再送するように要求するための送達確認情報（Ｒｅｖｅｒｔ  Ｒｅｑｕｅｓｔ）を、ＨＡＲＱフィードバック物理チャネルを介して送信する。【００８９】
一方、「受信したＮＤＩ」が、「Ｅｘｐｅｃｔｅｄ  ＮＤＩ」よりも遅れていると判定された場合、移動局は、ステップＳ１０１０において、ＡＣＫをＮＡＣＫと誤検出したことによって、冗長な再送であると判断し（図４Ｂにおけるケース（Ｂ））、ステップＳ１０１１において、各ＨＡＲＱプロセスから通知されるパケットの復号結果によらず、送達確認情報（ＡＣＫ）を、ＨＡＲＱフィードバック物理チャネルを介して送信する。【００９０】
（本発明の第１の実施形態に係る移動通信システムの作用・効果）
本実施形態に係る移動通信システムによれば、ＲＬＣレイヤによる再送制御を待つことなく、複数ビットで構成されたＮＤＩに基づいてパケットの欠落を検出することができ、各ＨＡＲＱプロセスから通知されるパケットの復号結果によらず、送達確認情報（Ｒｅｖｅｒｔ  Ｒｅｑｕｅｓｔ）を送信するように構成されているため、伝送遅延を抑制することができる。
【産業上の利用の可能性】
【００９１】
以上説明したように、本発明によれば、送信側装置においてＨＡＲＱフィードバック物理チャネルを介して送信された送達確認情報を誤検出した場合のパケットの欠落を迅速に検出して再送制御を行う再送制御方法及び受信側装置を提供することができる。
【図１】
2007052719.tif 000003
【図２】
2007052719.tif 000004
【図３】
2007052719.tif 000005
【図４Ａ】
2007052719.tif 000006
【図４Ｂ】
2007052719.tif 000007
【図５】
2007052719.tif 000008
【図６】
2007052719.tif 000009
【図７】
2007052719.tif 000010
【図８】
2007052719.tif 000011
【図９Ａ】
2007052719.tif 000012
【図９Ｂ】
2007052719.tif 000013
【国際調査報告】
2007052719.tif 000014
2007052719.tif 000015
2007052719.tif 000016
2007052719.tif 000017